(57)【特許請求の範囲】
【請求項１】
ワイヤレス通信ネットワークにおけるワイヤレス通信のための方法であって、
第１の電力クラスの第１のセル中の第１のユーザ機器（ＵＥ）に、物理ダウンリンク共有チャネルとして使用するための第１のコンポーネントキャリア（ＣＣ）のリソースを割り振ることと、
前記物理ダウンリンク共有チャネルの拡張として使用するための第２のＣＣの第１の部分のリソースを、前記第１のセルと第２のセルとの間で共有されるリソース区分情報に基づいて割り振ることを備え、ここにおいて前記第２のＣＣの前記第１の部分の前記リソースは前記第２のセル中の１つまたは複数の第２のＵＥのための制御領域として割り振られた前記第２のＣＣの第２の部分のリソースと重複しないものである、方法。
【請求項２】
前記第１のＣＣの前記リソースと前記第２のＣＣの前記第１の部分の前記リソースとは複数の異なるＵＥによる使用のために割り振られる、請求項１に記載の方法。
【請求項３】
前記ワイヤレス通信ネットワークは異種ネットワークを備え、前記第１および第２のセルは異なる電力クラスタイプの複数のセルを備える、請求項１に記載の方法。
【請求項４】
第２のＣＣの前記第１の部分は前記第１のＣＣに隣接するキャリアセグメントを備える、請求項１に記載の方法。
【請求項５】
前記第２のＣＣは拡張キャリアを備える、請求項１に記載の方法。
【請求項６】
前記第１のＵＥに、前記第２のＣＣの前記第１の部分のロケーションの指示を搬送することをさらに備える、請求項１に記載の方法。
【請求項７】
前記指示を搬送することは、
前記第１のＣＣを使用して、前記第１のＵＥに、前記第２のＣＣの前記第１の部分の開始シンボルの指示を送ることを備える、請求項６に記載の方法。
【請求項８】
前記開始シンボルの前記指示は１つまたは複数の第２のＵＥのための制御領域として使用される前記第２のＣＣの前記第２の部分のサイズに基づいて判定される、請求項７に記載の方法。
【請求項９】
前記第２のＣＣの前記第１の部分は前記第１のＵＥに知られる固定ロケーションで開始する、請求項１に記載の方法。
【請求項１０】
前記第１のＵＥはワイヤレス通信規格の第１のまたはより後のバージョンを用いて通信することが可能なＵＥを備え、
前記第２のＵＥは前記第１のバージョンよりも前の前記規格の第２のバージョンを用いて通信することが可能なＵＥを備える、請求項１に記載の方法。
【請求項１１】
前記第２のセルは前記第１のセルよりも低い電力クラスタイプを備える、請求項１に記載の方法。
【請求項１２】
前記第２のＣＣは拡張キャリアまたはキャリアセグメントのうちの少なくとも１つを備える、請求項１１に記載の方法。
【請求項１３】
ワイヤレス通信ネットワークにおけるワイヤレス通信のための方法であって、
第１のセルの基地局から、物理ダウンリンク共有チャネルとして使用するための第１のコンポーネントキャリア（ＣＣ）のリソースの割振りを受信することと、
前記基地局から、前記物理ダウンリンク共有チャネルの拡張として使用するための第２のＣＣの第１の部分の、前記第１のセルと第２のセルとの間で共有されるリソース区分情報に基づく割振りを受信することとを備え、ここにおいて前記第２のＣＣの前記第１の部分は前記第２のセルの１つまたは複数のＵＥのための制御領域として割り振られた前記第２のＣＣの第２の部分と重複しないものである、方法。
【請求項１４】
前記第１のＣＣの前記リソースと前記第２のＣＣの前記第１の部分の前記リソースとは複数の異なるＵＥによる使用のために割り振られる、請求項１３に記載の方法。
【請求項１５】
前記ワイヤレス通信ネットワークは異種ネットワークを備え、前記第１および第２のセルは異なる電力クラスタイプの複数のセルを備える、請求項１３に記載の方法。
【請求項１６】
第２のＣＣの前記第１の部分は前記第１のＣＣに隣接するキャリアセグメントを備える、請求項１３に記載の方法。
【請求項１７】
前記第２のＣＣは拡張キャリアを備える、請求項１３に記載の方法。
【請求項１８】
前記基地局から、前記第２のＣＣの前記第１の部分のロケーションの指示を受信することをさらに備える、請求項１３に記載の方法。
【請求項１９】
前記指示を受信することは、
前記第１のＣＣを使用して、前記第２のＣＣの前記第１の部分の開始シンボルの指示を受信すること
を備える、請求項１８に記載の方法。
【請求項２０】
前記開始シンボルの前記指示は１つまたは複数のＵＥのための制御領域として使用される前記第２のＣＣの前記第２の部分のサイズに基づいて判定される、請求項１９に記載の方法。
【請求項２１】
前記第２のＣＣの前記第１の部分は固定ロケーションで開始する、請求項１３に記載の方法。
【請求項２２】
前記第１のＣＣはワイヤレス通信規格の第１のまたはより後のバージョンを用いて通信できる複数のＵＥと通信するために使用され、
前記第２のＣＣは前記第１のバージョンよりも前の前記規格の第２のバージョンを用いて通信することが可能な複数のＵＥと通信するために使用される、請求項１３に記載の方法。
【請求項２３】
前記第２のセルは前記第１のセルよりも低い電力クラスタイプを備える、請求項１３に記載の方法。
【請求項２４】
前記第２のＣＣは拡張キャリアまたはキャリアセグメントのうちの少なくとも１つを備える、請求項２３に記載の方法。
【請求項２５】
ワイヤレス通信ネットワークにおけるワイヤレス通信のための装置であって、
第１の電力クラスの第１のセル中の第１のユーザ機器（ＵＥ）に、物理ダウンリンク共有チャネルとして使用するための第１のコンポーネントキャリア（ＣＣ）のリソースを割り振るための手段と、
前記物理ダウンリンク共有チャネルの拡張として使用するための第２のＣＣの第１の部分のリソースを、前記第１のセルと第２のセルとの間で共有されるリソース区分情報に基づいて割り振るための手段と、ここにおいて前記第２のＣＣの前記第１の部分の前記リソースは前記第２のセル中の１つまたは複数の第２のＵＥのための制御領域として割り振られた前記第２のＣＣの第２の部分のリソースと重複しないものである、
前記物理ダウンリンク共有チャネル上で前記第１のＵＥへデータを送信するための手段とを備える、装置。
【請求項２６】
前記第１のＣＣの前記リソースと前記第２のＣＣの前記第１の部分の前記リソースとは複数の異なるＵＥによる使用のために割り振られる、請求項２５に記載の装置。
【請求項２７】
前記ワイヤレス通信ネットワークは異種ネットワークを備え、前記第１および第２のセルは異なる電力クラスタイプの複数のセルを備える、請求項２５に記載の装置。
【請求項２８】
第２のＣＣの前記第１の部分は前記第１のＣＣに隣接するキャリアセグメントを備える、請求項２５に記載の装置。
【請求項２９】
前記第２のＣＣは拡張キャリアを備える、請求項２５に記載の装置。
【請求項３０】
送信するための前記手段は、前記第１のＵＥに、前記第２のＣＣの前記第１の部分のロケーションの指示を搬送するようにさらに構成される、請求項２５に記載の装置。
【請求項３１】
送信するための前記手段は、前記第１のＣＣを使用して、前記第１のＵＥに、前記第２のＣＣの前記第１の部分の開始シンボルの指示を送るように構成される、請求項３０に記載の装置。
【請求項３２】
前記開始シンボルの前記指示は、１つまたは複数の第２のＵＥのための制御領域として使用される前記第２のＣＣの前記第２の部分のサイズに基づいて判定される、請求項３１に記載の装置。
【請求項３３】
前記第２のＣＣの前記第１の部分は、前記第１のＵＥに知られる固定ロケーションで開始する、請求項２５に記載の装置。
【請求項３４】
前記第１のＵＥはワイヤレス通信規格の第１のまたはより後のバージョンを用いて通信することが可能なＵＥを備え、
前記第２のＵＥは前記第１のバージョンよりも前の前記規格の第２のバージョンを用いて通信することが可能なＵＥを備える、請求項２５に記載の装置。
【請求項３５】
前記第２のセルは前記第１のセルよりも低い電力クラスタイプを備える、請求項２５に記載の装置。
【請求項３６】
前記第２のＣＣは拡張キャリアまたはキャリアセグメントのうちの少なくとも１つを備える、請求項３５に記載の装置。
【請求項３７】
ワイヤレス通信ネットワークにおけるワイヤレス通信のための装置であって、
第１のセルの基地局から、物理ダウンリンク共有チャネルとして使用するための第１のコンポーネントキャリア（ＣＣ）のリソースの割振りを受信するための手段と、
前記基地局から、前記物理ダウンリンク共有チャネルの拡張として使用するための第２のＣＣの第１の部分の、前記第１のセルと第２のセルとの間で共有されるリソース区分情報に基づく割振りを受信するための手段と、ここにおいて前記第２のＣＣの前記第１の部分は前記第２のセルの１つまたは複数のＵＥのための制御領域として割り振られた前記第２のＣＣの第２の部分と重複しないものである、
前記物理ダウンリンク共有チャネル上で前記基地局からダウンリンク送信を受信するための手段とを備える、装置。
【請求項３８】
前記第１のＣＣの前記リソースと前記第２のＣＣの前記第１の部分の前記リソースとは複数の異なるＵＥによる使用のために割り振られる、請求項３７に記載の装置。
【請求項３９】
前記ワイヤレス通信ネットワークが異種ネットワークを備え、前記第１および第２のセルが異なる電力クラスタイプの複数のセルを備える、請求項３７に記載の装置。
【請求項４０】
第２のＣＣの前記第１の部分は前記第１のＣＣに隣接するキャリアセグメントを備える、請求項３７に記載の装置。
【請求項４１】
前記第２のＣＣは拡張キャリアを備える、請求項３７に記載の装置。
【請求項４２】
前記ダウンリンク送信を受信するための前記手段は、前記基地局から、前記第２のＣＣの前記第１の部分のロケーションの指示を受信するようにさらに構成される、請求項３７に記載の装置。
【請求項４３】
前記ダウンリンク送信を受信するための前記手段は、前記第１のＣＣを使用して、前記第２のＣＣの前記第１の部分の開始シンボルの指示を受信するように構成される、請求項４２に記載の装置。
【請求項４４】
前記開始シンボルの前記指示は１つまたは複数のＵＥのための制御領域として使用される前記第２のＣＣの前記第２の部分のサイズに基づいて判定される、請求項４３に記載の装置。
【請求項４５】
前記第２のＣＣの前記第１の部分は固定ロケーションで開始する、請求項３７に記載の装置。
【請求項４６】
前記第１のＣＣはワイヤレス通信規格の第１のまたはより後のバージョンを用いて通信することが可能な複数のＵＥと通信するために使用され、
前記第２のＣＣは前記第１のバージョンよりも前の前記規格の第２のバージョンを用いて通信することが可能な複数のＵＥと通信するために使用される、請求項３７に記載の装置。
【請求項４７】
前記第２のセルは前記第１のセルよりも低い電力クラスタイプを備える、請求項３７に記載の装置。
【請求項４８】
前記第２のＣＣは拡張キャリアまたはキャリアセグメントのうちの少なくとも１つを備える、請求項４７に記載の装置。
【請求項４９】
ワイヤレス通信ネットワークにおけるワイヤレス通信のための装置であって、
第１の電力クラスの第１のセル中の第１のユーザ機器（ＵＥ）に、物理ダウンリンク共有チャネルとして使用するための第１のコンポーネントキャリア（ＣＣ）のリソースを割り振ることと、前記物理ダウンリンク共有チャネルの拡張として使用するための第２のＣＣの第１の部分のリソースを、前記第１のセルと第２のセルとの間で共有されるリソース区分情報に基づいて割り振ることと、ここで前記第２のＣＣの前記第１の部分の前記リソースは前記第２のセル中の１つまたは複数の第２のＵＥのための制御領域として割り振られた前記第２のＣＣの第２の部分のリソースと重複しないものである、を行うように構成されるスケジューリング構成要素と、
前記物理ダウンリンク共有チャネル上で前記第１のＵＥにデータを送信するように構成される送信機とを備える装置。
【請求項５０】
ワイヤレス通信ネットワークにおけるワイヤレス通信のための装置であって、
第１のセルの基地局から、物理ダウンリンク共有チャネルとして使用するための第１のコンポーネントキャリア（ＣＣ）のリソースの割振りと、前記物理ダウンリンク共有チャネルの拡張として使用するための第２のＣＣの第１の部分の、前記第１のセルと第２のセルとの間で共有されるリソース区分情報に基づく割振りとを受信するように構成され、前記第２のＣＣの前記第１の部分は前記第２のセルの１つまたは複数のＵＥのための制御領域として割り振られた前記第２のＣＣの第２の部分と重複しないものである、スケジューリング構成要素と、
前記物理ダウンリンク共有チャネル上で前記基地局からダウンリンク送信を受信するように構成される受信機とを備える装置。
【請求項５１】
１つまたは複数のプロセッサによって実行可能である複数の命令を備えるワイヤレス通信のためのコンピュータプログラムであって、
前記複数の命令は、
第１の電力クラスの第１のセル中の第１のユーザ機器（ＵＥ）に、物理ダウンリンク共有チャネルとして使用するための第１のコンポーネントキャリア（ＣＣ）のリソースを割り振るための複数の命令と、
前記物理ダウンリンク共有チャネルの拡張として使用するための第２のＣＣの第１の部分のリソースを、前記第１のセルと第２のセルとの間で共有されるリソース区分情報に基づいて割り振るための複数の命令とを備え、ここにおいて前記第２のＣＣの前記第１の部分の前記リソースは前記第２のセル中の１つまたは複数の第２のＵＥのための制御領域として割り振られた前記第２のＣＣの第２の部分のリソースと重複しないものである、コンピュータプログラム。
【請求項５２】
１つまたは複数のプロセッサによって実行可能な複数の命令を備えるワイヤレス通信のためのコンピュータプログラムであって、
前記複数の命令は、
第１のセルの基地局から、物理ダウンリンク共有チャネルとして使用するための第１のコンポーネントキャリア（ＣＣ）のリソースの割振りを受信するための複数の命令と、
前記基地局から、前記物理ダウンリンク共有チャネルの拡張として使用するための第２のＣＣの第１の部分の、前記第１のセルと第２のセルとの間で共有されるリソース区分情報に基づく割振りを受信するための複数の命令とを備え、ここにおいて前記第２のＣＣの前記第１の部分は前記第２のセルの１つまたは複数のＵＥのための制御領域として割り振られた前記第２のＣＣの第２の部分と重複しないものである、コンピュータプログラム。
【発明の詳細な説明】
【関連技術】
【０００１】
優先権の主張
本特許出願は、本出願の譲受人に譲渡され、参照により本明細書に明確に組み込まれる、２００９年１１月２日に出願された「Apparatus and Method For Spectrum Interpretation In a Heterogeneous Network」と題する米国仮出願第６１／２５７，１９９号の優先権を主張する。
【技術分野】
【０００２】
本開示は一般に通信に関し、より詳細には、マルチキャリアワイヤレス通信ネットワークにおける電力制御に関する。
【背景技術】
【０００３】
ワイヤレス通信ネットワークは、ボイス、ビデオ、パケットデータ、メッセージング、ブロードキャストなどの様々な通信コンテンツを提供するために広く展開されている。これらワイヤレスネットワークは、利用可能なネットワークリソースを共有することによって複数のユーザをサポートすることが可能な多元接続ネットワークであり得る。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）の通信をサポートできるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ダウンリンク上でデータを１つまたは複数のＵＥに送信し、アップリンク上で１つまたは複数のＵＥからデータを受信し得る。ダウンリンク上では、基地局からのデータ送信がネイバー基地局からのデータ送信による干渉を観測することがある。アップリンク上では、ＵＥからのデータ送信がネイバー基地局と通信している他のＵＥからのデータ送信による干渉を観測することがある。ダウンリンクでもアップリンクでも、これら干渉する基地局とこれら干渉するＵＥとによる干渉がパフォーマンスを劣化させることがある。
【発明の概要】
【０００６】
本開示のいくつかの態様は、異なる電力クラスタイプのセルの異種ネットワークにおけるワイヤレス通信のための方法を提供する。本方法は、概ね、第１の電力クラスの第１のセル中の第１のユーザ機器（ＵＥ）に、物理ダウンリンク共有チャネルとして使用するための第１のコンポーネントキャリア（ＣＣ：component carrier）のリソースを割り振ることと、物理ダウンリンク共有チャネルの拡張として使用するための第２のＣＣの第１の部分のリソースを割り振ることを含み、第２のＣＣの第１の部分のリソースは第２のセル中の１つまたは複数の第２のＵＥのための制御領域として割り振られた第２のＣＣの第２の部分のリソースと重複しないものである。
【０００７】
本開示のいくつかの態様は、異なる電力クラスタイプのセルの異種ネットワークにおけるワイヤレス通信のための方法を提供する。本方法は、概ね、第１のセルの基地局から、物理ダウンリンク共有チャネルとして使用するための第１のコンポーネントキャリア（ＣＣ）のリソースの割振りを受信することと、基地局から、物理ダウンリンク共有チャネルの拡張として使用するための第２のＣＣの第１の部分の割振りを受信することを含み、第２のＣＣの第１の部分は第２のセルの１つまたは複数のＵＥのための制御領域として割り振られた第２のＣＣの第２の部分と重複しないものである。
【０００８】
本開示のいくつかの態様は、ワイヤレス通信ネットワークにおけるワイヤレス通信のための装置を提供する。本装置は、概ね、第１の電力クラスの第１のセル中の第１のユーザ機器（ＵＥ）に、物理ダウンリンク共有チャネルとして使用するための第１のコンポーネントキャリア（ＣＣ）のリソースを割り振るための手段と、物理ダウンリンク共有チャネルの拡張として使用するための第２のＣＣの第１の部分のリソースを割り振るための手段とを含み、第２のＣＣの第１の部分のリソースは第２のセル中の１つまたは複数の第２のＵＥのための制御領域として割り振られた第２のＣＣの第２の部分のリソースと重複しないものである。
【０００９】
本開示のいくつかの態様は、ワイヤレス通信ネットワークにおけるワイヤレス通信のための装置を提供する。本装置は、概ね、第１のセルの基地局から、物理ダウンリンク共有チャネルとして使用するための第１のコンポーネントキャリア（ＣＣ）のリソースの割振りを受信するための手段と、基地局から、物理ダウンリンク共有チャネルの拡張として使用するための第２のＣＣの第１の部分の割振りを受信するための手段を含み、第２のＣＣの第１の部分は第２のセルの１つまたは複数のＵＥのための制御領域として割り振られた第２のＣＣの第２の部分と重複しないものである。
【００１０】
本開示のいくつかの態様は、ワイヤレス通信ネットワークにおけるワイヤレス通信のための装置を提供する。本装置は、概ね、第１の電力クラスの第１のセル中の第１のユーザ機器（ＵＥ）に、物理ダウンリンク共有チャネルとして使用するための第１のコンポーネントキャリア（ＣＣ）のリソースを割り振ることと、物理ダウンリンク共有チャネルの拡張として使用するための第２のＣＣの第１の部分のリソースを割り振ることと、ここで第２のＣＣの第１の部分のリソースは第２のセル中の１つまたは複数の第２のＵＥのための制御領域として割り振られた第２のＣＣの第２の部分のリソースと重複しないものである、を行うように構成されるスケジューリング構成要素と、物理ダウンリンク共有チャネル上で第１のＵＥにデータを送信するように構成される送信構成要素とを含む。
【００１１】
本開示のいくつかの態様は、ワイヤレス通信ネットワークにおけるワイヤレス通信のための装置を提供する。本装置は、概ね、第１のセルの基地局から、物理ダウンリンク共有チャネルとして使用するための第１のコンポーネントキャリア（ＣＣ）のリソースの割振りと、物理ダウンリンク共有チャネルの拡張として使用するための第２のＣＣの第１の部分の割振りとを受信するように構成され、第２のＣＣの第１の部分は第２のセルの１つまたは複数のＵＥのための制御領域として割り振られた第２のＣＣの第２の部分と重複しないものである、スケジューリング構成要素と、物理ダウンリンク共有チャネル上で基地局からダウンリンク送信を受信するように構成される受信構成要素とを含む。
【００１２】
本開示のいくつかの態様は、１つまたは複数のプロセッサによって実行可能である複数の命令が記憶されたコンピュータ可読媒体を提供する。これら命令は、概ね、第１の電力クラスの第１のセル中の第１のユーザ機器（ＵＥ）に、物理ダウンリンク共有チャネルとして使用するための第１のコンポーネントキャリア（ＣＣ）のリソースを割り振るための複数の命令と、物理ダウンリンク共有チャネルの拡張として使用するための第２のＣＣの第１の部分のリソースを割り振るための複数の命令とを含み、第２のＣＣの第１の部分のリソースは第２のセル中の１つまたは複数の第２のＵＥのための制御領域として割り振られた第２のＣＣの第２の部分のリソースと重複しないものである。
【００１３】
本開示のいくつかの態様は、１つまたは複数のプロセッサによって実行可能である複数の命令が記憶されたコンピュータ可読媒体を提供する。これら命令は、概ね、第１のセルの基地局から、物理ダウンリンク共有チャネルとして使用するための第１のコンポーネントキャリア（ＣＣ）のリソースの割振りを受信するための複数の命令と、基地局から、物理ダウンリンク共有チャネルの拡張として使用するための第２のＣＣの第１の部分の割振りを受信するための複数の命令とを含み、第２のＣＣの第１の部分は第２のセルの１つまたは複数のＵＥのための制御領域として割り振られた第２のＣＣの第２の部分と重複しないものである。
【図面の簡単な説明】
【００１４】
【図１】本開示のいくつかの態様による、例示的な異種ワイヤレス通信ネットワークを示す図。
【図２】本開示のいくつかの態様による、アクセスポイントおよびアクセス端末の例示的な構成要素のブロック図。
【図３】本開示のいくつかの態様による、ワイヤレス通信システムの例示的な構成要素を示す図。
【図４】本開示のいくつかの態様による、リソースを割り振るための例示的な動作を示す図。
【図５】本開示のいくつかの態様による、キャリアセグメントおよび拡張キャリアの例を示す図。
【図６】本開示のいくつかの態様による、拡張物理ダウンリンク共有チャネルリソースの例を示す図。
【発明を実施するための形態】
【００１５】
次に、図面を参照しながら様々な態様について説明する。以下の記述では、説明の目的で、１つまたは複数の態様の完全な理解を与えるために多数の具体的な詳細を記載する。ただし、このような（１つまたは複数の）態様はこれら具体的な詳細なしに実施され得ることを認識されよう。
【００１６】
本出願で使用する「構成要素」、「モジュール」、「システム」などの用語は、限定するものでないが、ハードウェア、ファームウェア、ハードウェアとソフトウェアの組合せ、ソフトウェア、または実行中のソフトウェアなど、コンピュータ関連のエンティティを含むことを意図する。例えば、ある構成要素はプロセッサ上で実行されるプロセス、プロセッサ、オブジェクト、実行ファイル、実行スレッド、プログラムおよび／またはコンピュータであり得るが、これらに限定されない。例として、コンピューティングデバイス上で実行されるアプリケーションとこのコンピューティングデバイスとの両方が構成要素となり得る。１つまたは複数の構成要素がプロセスおよび／または実行スレッド内に常駐でき、１つの構成要素が１つのコンピュータ上に配置され、および／または２つ以上のコンピュータ間に分散され得る。さらに、これら構成要素は、様々なデータ構造を記憶する様々なコンピュータ可読媒体から実行できる。これら構成要素は、ローカルシステム、分散型システム内、および／または他のシステムを用いるインターネットなどのネットワーク上の別の構成要素と信号を介して対話する１つの構成要素からのデータなど、１つまたは複数のデータパケットを有する信号によるなど、ローカルプロセスおよび／またはリモートプロセスを介して通信し得る。
【００１７】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用でき、アクセスポイント、ノードＢ、ｅノードＢ（ｅＮＢ）、または何らかの他の用語で呼ばれることもある。
【００１８】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概ね「１つまたは複数」を意味するものと解釈すべきである。
【００１９】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用されてよい。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装できる。ＵＴＲＡは、Ｗｉｄｅｂａｎｄ−ＣＤＭＡ（Ｗ−ＣＤＭＡ）および低チップレート（ＬＣＲ）を含む。ＣＤＭＡ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装できる。
【００２０】
ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの最近のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載される。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載される。これら様々な無線技術および規格は当技術分野で知られる。明快のために、本技法のいくつかの態様について以下ではＬＴＥに関して説明し、以下の説明の大部分でＬＴＥ用語を使用する。
【００２１】
シングルキャリア変調と周波数領域等化とを利用するシングルキャリア周波数分割多元接続（ＳＣ−ＦＤＭＡ）は、ＯＦＤＭＡシステムと同様のパフォーマンスおよび本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に利益を与えるアップリンク通信において、大いに注目されている。
【００２２】
図１に、本開示の様々な態様が実行され得る例示的な異種ワイヤレスネットワーク１００を示す。
【００２３】
ワイヤレス通信ネットワーク１００は、ＬＴＥネットワークまたは何らかの他のワイヤレスネットワークであってよい。ワイヤレスネットワーク１００は、いくつかの発展型ノードＢ（ｅＮＢ）１１０と他のネットワークエンティティとを含み得る。ｅＮＢは、複数のＵＥと通信するエンティティでよく、基地局、ノードＢ、アクセスポイントなどとも呼ばれることがある。各ｅＮＢは、特定の地理的エリアに対して通信カバレージを提供できる。３ＧＰＰにおいて、「セル」という用語は、この用語が使用される状況に応じて、ｅＮＢのカバレージエリアおよび／またはこのカバレージエリアをサービスするｅＮＢサブシステムを指すことがある。
【００２４】
ｅＮＢは、マクロセル、ピコセル、フェムトセル、および／または他のタイプのセルに通信カバレージを提供できる。マクロセルは、比較的大きい地理的エリア（例えば、半径数キロメートル）をカバーでき、サービスに加入しているＵＥによる無制限アクセスを可能にできる。ピコセルは、比較的小さい地理的エリアをカバーでき、サービスに加入しているＵＥによる無制限アクセスを可能にできる。フェムトセルは、比較的小さい地理的エリア（例えば、自宅）をカバーでき、フェムトセルとの関連を有するＵＥ（例えば、限定加入者グループ（ＣＳＧ：Closed Subscriber Group）中のＵＥ）による限定アクセスを可能にできる。マクロセルのためのｅＮＢはマクロｅＮＢと呼ばれることがある。ピコセルのためのｅＮＢはピコｅＮＢと呼ばれることがある。フェムトセルのためのｅＮＢはホームｅＮＢ（ＨｅＮＢ）またはフェムトｅＮＢと呼ばれることがある。図１に示す例では、ｅＮＢ１１０ａがマクロセル１０２ａのためのマクロｅＮＢであり、ｅＮＢ１１０ｂがピコセル１０２ｂのためのピコｅＮＢであり、ｅＮＢ１１０ｃがフェムトセル１０２ｃのためのフェムトｅＮＢであってよい。ｅＮＢは、１つまたは複数の（例えば、３つの）セルをサポートできる。「ｅＮＢ」、「基地局」、および「セル」という用語は、本明細書において互換的に使用され得る。
【００２５】
ワイヤレスネットワーク１００はまた、複数のリレーを含んでよい。このリレーは、上流局（例えば、ｅＮＢまたはＵＥ）からデータの送信を受信し、このデータの送信を下流局（例えば、ＵＥまたはｅＮＢ）に送ることができるエンティティであり得る。リレーはまた、他のＵＥに対する送信を中継することができるＵＥであり得る。図１に示す例では、リレー１１０ｄは、ｅＮＢ１１０ａとＵＥ１２０ｄとの間の通信を可能にするために、バックホールリンクを介してマクロｅＮＢ１１０ａと通信し、アクセスリンクを介してＵＥ１２０ｄと通信できる。リレーはまた、リレーｅＮＢ、リレー局、リレー基地局などとも呼ばれることがある。
【００２６】
ワイヤレスネットワーク１００は、様々なタイプのｅＮＢ、例えば、マクロｅＮＢ、ピコｅＮＢ、フェムトｅＮＢ、リレーｅＮＢなどを含む異種ネットワークであり得る。これら様々なタイプのｅＮＢは、様々な送信電力レベル、様々なカバレージサイズ、およびワイヤレスネットワーク１００中の干渉に対する様々な影響を有し得る。例えば、マクロｅＮＢは、高い送信電力レベル（例えば、５〜４０ワット）を有し得るが、ピコｅＮＢ、フェムトｅＮＢ、およびリレーは、より低い送信電力レベル（例えば、０．１〜２ワット）を有し得る。
【００２７】
ネットワークコントローラ１３０は、ｅＮＢのセットに結合し得、これらｅＮＢの協調および制御を行い得る。ネットワークコントローラ１３０は、単一のネットワークエンティティまたはネットワークエンティティの集合を備え得る。ネットワークコントローラ１３０はバックホールを介してｅＮＢと通信できる。ｅＮＢはまた、例えば、ワイヤレスバックホールまたはワイヤラインバックホールを介して直接または間接的に互いに通信できる。
【００２８】
ＵＥ１２０はワイヤレスネットワーク１００全体にわたって分散でき、各ＵＥは固定または移動でよい。ＵＥは、移動局、端末、アクセス端末、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどでよい。ＵＥは、マクロｅＮＢ、ピコｅＮＢ、フェムトｅＮＢ、リレーなどと通信可能でよい。ＵＥはまた、別のＵＥとピアツーピア（Ｐ２Ｐ）に通信可能でよい。図１に示す例において、ＵＥ１２０ｅおよび１２０ｆはワイヤレスネットワーク１００中のｅＮＢと通信せずに互いに直接通信できる。Ｐ２Ｐ通信は、ＵＥ間のローカル通信のためのワイヤレスネットワーク１００上の負荷を低減できる。ＵＥ間のＰ２Ｐ通信はまた、１つのＵＥに他のＵＥのためのリレーの役割を果たさせることができ、それによってその他のＵＥがｅＮＢに接続することを可能にできる。
【００２９】
図１では、両矢印の実線がダウンリンクおよび／またはアップリンク上でＵＥとこのＵＥをサービスするように指定されたｅＮＢであるサービングｅＮＢとの間の所望の送信を示す。両矢印の破線はＵＥとｅＮＢとの間の干渉送信を示す。
【００３０】
ＵＥは、複数のｅＮＢのカバレージ内に位置できる。これらｅＮＢのうちの１つはこのＵＥをサービスするために選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。
【００３１】
ＵＥは、このＵＥが１つまたは複数の干渉ｅＮＢからの高い干渉を観測し得る支配的干渉シナリオにおいて動作できる。支配的干渉シナリオは、制限された関連付けにより発生できる。例えば、図１において、ＵＥ１２０ｃは、フェムトｅＮＢ１１０ｃに近接でき、ｅＮＢ１１０ｃについて高い受信電力を有し得る。しかしながら、ＵＥ１２０ｃは、制限された関連付けによりフェムトｅＮＢ１１０ｃにアクセスできないことがあり、ここでより低い受信電力をもつｅＮＢ１１０ａに接続できる。この場合、ＵＥ１２０ｃは、ダウンリンク上でフェムトｅＮＢ１１０ｃからの高い干渉を観測し、また、アップリンク上でフェムトｅＮＢ１１０ｃに高い干渉をもたらし得る。
【００３２】
支配的干渉シナリオはまた、範囲拡張により発生でき、これは、ＵＥが、ＵＥによって検出されたすべてのｅＮＢのうち、より低い経路損失と場合によってはより低いＳＩＮＲとをもつｅＮＢに接続するシナリオである。例えば、図１では、ＵＥ１２０ｂは、マクロｅＮＢ１１０ａよりもピコｅＮＢ１１０ｂに近接して位置でき、ピコｅＮＢ１１０ｂについてより低い経路損失を有し得る。しかしながら、マクロｅＮＢ１１０ａと比較してピコｅＮＢ１１０ｂの送信電力レベルがより低いことにより、ＵＥ１２０ｂは、ピコｅＮＢ１１０ｂについて、マクロｅＮＢ１１０ａよりも低い受信電力を有し得る。とはいえ、より低い経路損失により、ＵＥ１２０ｂはピコｅＮＢ１１０ｂに接続することが望ましいことがある。これにより、ＵＥ１２０ｂの所与のデータレートに対してワイヤレスネットワークへの干渉が少なくなり得る。
【００３３】
様々な干渉管理技法が支配的干渉シナリオにおける通信をサポートするために使用できる。これら干渉管理技法には、（セル間干渉協調（ＩＣＩＣ：inter-cell interference coordination）と呼ばれることがある）半静的リソース区分、動的リソース割振り、干渉消去などがある。半静的リソース区分は、リソースを異なるセルに割り振るために（例えば、バックホールネゴシエーションを介して）行うことができる。リソースは、サブフレーム、サブバンド、キャリア、リソースブロック、送信電力などを備えてよい。各セルは、他のセルまたはそれらのＵＥからの干渉をほとんどまたはまったく観測し得ないリソースのセットを割り振られ得る。また、動的リソース割振りは、ダウンリンクおよび／またはアップリンク上で強い干渉を観測しているＵＥの通信をサポートするために、必要に応じてリソースを割り振るように（例えば、複数のセルおよび複数のＵＥ間の無線メッセージの交換を介して）行うことができる。また、干渉消去は、干渉セルからの干渉を緩和するためにＵＥによって行われることができる。
【００３４】
ワイヤレスネットワーク１００は、ダウンリンクおよびアップリンク上でのデータ送信のためにハイブリッド自動再送信（ＨＡＲＱ：hybrid automatic retransmission）をサポートできる。ＨＡＲＱの場合、送信機（例えば、ｅＮＢ）は、パケットが受信機（例えば、ＵＥ）によって正しく復号されるまで、または何らかの他の終了条件に遭遇するまで、パケットの１つまたは複数の送信を送ってよい。同期ＨＡＲＱの場合、パケットのすべての送信は、Ｑ番目のサブフレーム毎に含むことのできる単一のＨＡＲＱインターレースのサブフレームにおいて送られることができ、ここでＱは４、６、８、１０、または何か他の値に等しくてよい。非同期ＨＡＲＱの場合、パケットの各送信は任意のサブフレームにおいて送られ得る。
【００３５】
ワイヤレスネットワーク１００は、同期または非同期動作をサポートできる。同期動作の場合、ｅＮＢが同様のフレームタイミングを持つことができ、複数の異なるｅＮＢからの送信がほぼ時間的に揃えられ得る。非同期動作の場合、ｅＮＢが異なるフレームタイミングを持つことができ、複数の異なるｅＮＢからの送信が時間的に揃えられ得ない。
【００３６】
ワイヤレスネットワーク１００はＦＤＤまたはＴＤＤを利用できる。ＦＤＤの場合、ダウンリンクおよびアップリンクには別々の周波数チャネルが割り振られることができ、ダウンリンク送信およびアップリンク送信は２つの周波数チャネル上で同時に送られ得る。ＴＤＤの場合、ダウンリンクおよびアップリンクは同じ周波数チャネルを共有でき、ダウンリンク送信およびアップリンク送信は異なる時間期間において同じ周波数チャネル上で送られ得る。
【００３７】
異種ネットワークにおけるスペクトル解釈
図示のように、いくつかの態様によれば、異種ワイヤレスネットワーク１００における複数の異なるｅＮＢは拡張キャリアおよび／またはキャリアセグメントの適用を介してそれの複数のＵＥのための物理ダウンリンク共有チャネル（ＰＤＳＣＨ）に割り振られたリソースを「拡張する」ように構成できる。図示のように、マクロｅＮＢ１１０aは、ＰＤＣＣＨ１３２を介し、フェムトセル１０２cにおいてサービスされるＵＥで使用されるコンポーネントキャリアの一部分を割り振ることによりＵＥ１２０cのＰＤＳＣＨを拡張する方式でリソースを割り振り得る。同様に、マクロｅＮＢ１１０bは、ＰＤＣＣＨ１３４を介し、マクロセル１０２aにおいてサービスされるＵＥによって使用されるコンポーネントキャリアの一部分を割り振ることによってＵＥ１２０bのＰＤＳＣＨを拡張する方法でリソースを割り振り得る。
【００３８】
以下においてより詳細に説明するように、割振りは、セル間の干渉を管理するように設計された方式で行われ得る。一例として、１つのセルのｅＮＢは他のセル中の複数のＵＥのための制御領域として割り振られたＣＣの一部分と重複しない（それの複数の被サービスＵＥのＰＤＳＣＨ拡張のために）他のセルによって使用されるＣＣの一部分のみを割り振り得る。この方式で、利用可能なスペクトルの異なる部分が異なるタイプのノードによって異なって解釈され得る。
【００３９】
図２は、例示的なワイヤレスシステム２００における例示的な基地局２１０とアクセス端末２５０との例示的な構成要素を示すブロック図２００である。基地局２１０は図１に示すｅＮＢ１１０のうちの１つのようなアクセスポイントまたはｅＮＢであってよく、アクセス端末２５０は図１に示すＵＥ１２０のうちの１つのようなユーザ機器であってよい。
【００４０】
基地局２１０では、いくつかのデータストリームについてのトラフィックデータがデータソース２１２から送信（ＴＸ）データプロセッサ２１４に供給される。プロセッサ２３０はＡＴ２５０に送信されるべき制御情報を生成できる。図示のように、プロセッサ２３０は異なるリソースが異種ネットワーク中の複数の異なるセル間でどう割り振られるかを示すリソース区分情報を受信できる。リソース区分情報（ＲＰＩ）は例えば、バックホール接続を介して受信されることができ、リソースネゴシエーションの結果であり得る。従って、変動するネットワーク条件によってネゴシエーションが変化するにつれてＲＰＩは経時変動し得る。いずれの場合も、プロセッサ２３０は、拡張ＰＤＳＣＨとして使用するようにリソースをＡＴ２５０に割り振るためのダウンリンク送信で送られる適切なＰＤＣＣＨを生成するためにこのＲＰＩを利用できる。
【００４１】
ＴＸデータプロセッサ２１４は、符号化データを与えるために、各データストリームのトラフィックデータを、このデータストリーム用に選択された特定の符号化スキームに基づいてフォーマットし、符号化し、インターリーブする。データストリーム並びに制御情報についての符号化データはＯＦＤＭ技法を使用してパイロットデータで多重化され得る。
【００４２】
パイロットデータは一般に知られた方式で処理され、チャネル応答を推定するために受信機システムで使用できる既知のデータパターンである。各データストリーム毎の多重化されたパイロットデータおよび符号化データは、続いて、複数の変調シンボルを与えるために、このデータストリーム用に選択された特定の変調スキーム（例えば、２位相シフトキーイング（ＢＰＳＫ）、４位相シフトキーイング（ＱＰＳＫ）、Ｍ−ＰＳＫ（Ｍは概ね２のべき乗である）、またはＭ−ＱＡＭ（直交振幅変調））に基づいて変調（すなわち、シンボルマッピング）される。各データストリームのデータレート、符号化、および変調は、メモリ２３２に結合できるプロセッサ２３０によって実行される複数の命令によって決定され得る。
【００４３】
全データストリームの複数の変調シンボルは、続いて、これら変調シンボルをさらに（例えば、ＯＦＤＭ用に）処理できるＴＸ  ＭＩＭＯプロセッサ２２０に供給される。ＴＸ  ＭＩＭＯプロセッサ２２０は、続いて、ＮT個の変調シンボルストリームをＮT個の送信機（ＴＭＴＲ）２２２ａ〜２２２ｔに供給する。いくつかの態様において、ＴＸ  ＭＩＭＯプロセッサ２２０はビームフォーミング重みをデータストリームのシンボル並びにシンボルの送信元のアンテナに適用する。
【００４４】
送信機２２２は、１つまたは複数のアナログ信号を提供するためにダウンリンクコンポーネントキャリア毎のシンボルストリームを受信して処理し、さらに、ＭＩＭＯチャネルを介する送信に適した変調信号を提供するためにこれらアナログ信号を調整（例えば、増幅、フィルタ、およびアップコンバート）する。送信機２２２ａ〜２２２ｔからのＮT個の変調信号は、続いて、それぞれＮT個のアンテナ２２４ａ〜２２４ｔから送信される。
【００４５】
アクセス端末２５０では、ダウンリンクコンポーネントキャリアについて送信された変調信号がＮR個のアンテナ２５２ａ〜２５２ｒによって受信され、各アンテナ２５２からの受信された信号が受信機２５４ａ〜２５４ｒのそれぞれの受信機（ＲＣＶＲ）に供給される。各受信機２５４は、複数のサンプルを提供するために該当の受信信号を調整（例えば、フィルタ、増幅、およびダウンコンバート）して調整された信号をデジタル化し、対応する「受信」シンボルストリームを提供するためにさらにこれらサンプルを処理する。
【００４６】
ＲＸデータプロセッサ２６０は、続いて、ＮT個の「検出」シンボルストリームを提供するためにＮR個の受信機２５４からＮR個の受信シンボルストリームを受け取り、特定の受信機処理技法に基づいて処理する。ＲＸデータプロセッサ２６０は、続いて、ＰＤＣＣＨ中で送信された割振り情報を含む制御情報並びにトラフィックデータを回復するために各構成コンポーネントキャリア毎の各検出シンボルストリームを復調し、デインターリーブし、復号する。
【００４７】
ＲＸデータプロセッサ２６０による処理は、送信機システム２１０でＴＸ  ＭＩＭＯプロセッサ２２０およびＴＸデータプロセッサ２１４によって行われる処理を補足するものであってよい。メモリ２７２に結合されたプロセッサ２７０は、どのプリコーディング行列（以下で論じる）を使用すべきかを周期的に判定する。プロセッサ２７０は、行列インデックス部分およびランク値部分を備えるアップリンクメッセージを作成する。
【００４８】
プロセッサ２７０は、ＰＤＤＣＨ中で送られた拡張ＰＤＳＣＨのためのリソース割振り情報を受け取ることができる。プロセッサ２７０は、この情報に基づいて、拡張ＰＤＳＣＨのためにどのリソースを使用すべきかを判定できる。
【００４９】
アップリンク（逆方向リンク）メッセージが通信リンクおよび／または受信データストリームに関する様々なタイプの情報を備えてよい。アップリンクメッセージは、続いて、データソース２３６からのいくつかのデータストリームのトラフィックデータをも受け取るＴＸデータプロセッサ２３８によって処理され、変調器２８０によって変調され、送信機２５４ａ〜２５４ｒによって調整され得る。
【００５０】
送信機システム２１０において、アクセス端末２５０からのアップリンク送信は複数のアンテナ２２４によって受信され、受信機２２２によって調整され、復調器２４０によって復調され、受信機システム２５０によって送信された逆方向リンクメッセージを抽出するためにＲＸデータプロセッサ２４２によって処理される。プロセッサ２３０は、続いて、ビームフォーミング重みを決定するためにどのプリコーディング行列を使用すべきかなど、様々なパラメータを判定し、抽出されたメッセージを処理し続けることができる。
【００５１】
マルチキャリア動作をサポートするシステムでは、ＵＥが２つ以上のコンポーネントキャリア（ＣＣ）を監視し、これらコンポーネントキャリアによってサービスされるように構成され得る。このようなシステムでは、効率的な制御を提供するための取り組みにおいてクロスキャリアシグナリングがサポートされ得る。これは、異なる電力レベルで送信する複数のアクセスポイントを有する様々なタイプの複数のセル（例えば、マクロセル、ピコセル、およびフェムトセル）がオーバーレイされる異種ネットワークのコンテキストにおいて特に望ましいはずである。
【００５２】
例えば、以前の規格バージョンに互換性のあるＵＥ（「レガシー」ＵＥ）に後方互換性を与えるために様々なタイプのＣＣがある。これらＣＣのこうした組合せは、向上されたＵＥスループットだけでなく、特に異種ネットワークに対してより効率的な干渉管理をもたらし得る。本明細書で説明するように、（非レガシー）ＵＥのＰＤＳＣＨを拡張するために、ＣＣのリソースの一部分（例えば、キャリアセグメントまたは拡張キャリア）が使用され得る。
【００５３】
図３は、拡張ＰＤＳＣＨを達成できる例示的な通信システム３００を示す。上述のように、これは、利用可能なスペクトルの複数の異なる部分が異なるタイプの複数のノードによって異なって解釈され得る協調リソース割振りによって達成され得る。
【００５４】
図示のように、通信システム３００はアクセスポイント３０２、および１つまたは複数のユーザ機器３０４を備えることができ、これらの各々は図１〜図２に関連して説明したとおりであり得る。マルチキャリア動作では、アクセスポイント３０２が複数のキャリアにわたってＵＥ３０４のＰＤＳＣＨを拡張するための割振り情報を生成し、この割振り情報を（例えば、ＰＤＣＣＨ中で）ＵＥ３０４に送信し得る。
【００５５】
いくつかの態様によれば、アクセスポイント３０２は、拡張ＣＣ領域の部分（例えば、キャリアセグメントまたは拡張キャリア）のマッピングに関する情報をＵＥ３０４に送り得る。一例として、このマッピングは、別のセルに割り振られた制御領域との干渉を回避するための取り組みにおいて、拡張領域における開始シンボルの指示を与え得る。開始シンボルは、明示的に（例えば、レイヤ３構成またはレイヤ２動的指示によって行われ得る実際の開始シンボルを指示することによって）指示されるか、あるいは暗黙的に（例えば、バックホール情報交換を介して得られた実際の制御領域サイズを利用することによって）シグナリングされ得、ＵＥはこの暗黙的情報から開始シンボルを判定し得る。
【００５６】
都合よく、現在説明している実施形態において、開始シンボル指示は（例えば、上位レイヤシグナリングを介して）動的に更新されることができ、リソースを区分することにおけるフレキシビリティをより大きくさせ、これによって様々なシステム状態に適応することを助けて、例えば、負荷分散または異種ネットワークにおける干渉管理を可能にできる。
【００５７】
一態様では、アクセスポイント３０２が１つまたは複数のコンポーネントキャリア上のリソースのための割振り情報を生成するスケジューリング構成要素３０６を含み得る。スケジューリング情報は、拡張リソース（キャリアセグメントまたは拡張キャリア）に対するＰＤＳＣＨリソースのマッピングを生成するマッピング構成要素３０８に供給され得る。ＰＤＣＣＨ生成構成要素３１０は、マルチキャリア送信構成要素３１４による送信のための割振り情報をもつＰＤＣＣＨを生成できる。ＡＰ３０２はまた、ＰＤＣＣＨ中で送信されるスケジューリング情報に従って送信されたアップリンク送信を受信するように構成されるマルチキャリア受信構成要素３０５を含み得る。
【００５８】
図示のように、ＵＥ３０４は、アクセスポイント３０２に示す構成要素に対して補足的処理を行うための構成要素を含み得る。例えば、ＵＥ３０４は、マルチキャリアＲＸ構成要素３１６、マッピング構成要素３１８、スケジューリング構成要素３２２、およびマルチキャリア送信構成要素３２０を含み得る。マッピング構成要素３１８は拡張キャリア領域において割振り情報並びに開始シンボルの指示を受信し、この指示に基づいて拡張ＰＤＳＣＨのためにどのリソースを使用すべきかを判定できる。続いて、スケジューリング構成要素３２２はこの情報をダウンリンク送信の処理において使用するためにＲＸ構成要素３１６に供給し、アップリンク送信の処理において使用するために（例えば、送信電力を調整するかまたはＨＡＲＱ  ＡＣＫ／ＮＡＣＫを送信するために）ＴＸ構成要素３２０に供給できる。
【００５９】
図４は、本開示のいくつかの態様による、拡張ＰＤＳＣＨを割り振り、利用するための、それぞれアクセスポイントおよびユーザ機器によって実行され得る例示的な動作４００および４５０を示す。
【００６０】
これら動作を行うアクセスポイントおよびＵＥは、図１〜図３のいずれかに関連して説明したとおりであり得る。例えば、例示的な動作４００が（プロセッサ２３０のような）１つまたは複数のプロセッサあるいは（構成要素３０５〜３１４のような）１つまたは複数の構成要素によって指示される一方で、例示的な動作４５０が（プロセッサ２７０のような）１つまたは複数のプロセッサあるいは（構成要素３１６〜３２２など）１つまたは複数の構成要素によって指示され得る。
【００６１】
４０２において、ＡＰは第１のセル中の第１のユーザ機器（ＵＥ）に、物理ダウンリンク共有チャネルとして使用するための第１のコンポーネントキャリア（ＣＣ）のリソースを割り振る。４０４において、ＡＰは物理ダウンリンク共有チャネルの拡張として使用するための第２のＣＣの第１の部分を割り振る、ここで第２のＣＣの第１の部分は第２のセルの１つまたは複数の第２のＵＥのための制御領域として割り振られた第２のＣＣの第２の部分と重複しないものである。第１のＣＣのリソースおよび第２のＣＣの第１の部分のリソースは同じ第１のＵＥによる使用のために割り振られ得る。代わりに、第１のＣＣのリソースおよび第２のＣＣの第１の部分のリソースは異なるＵＥによる使用のために割り振られ得る。
【００６２】
４５２において、ＵＥは、第１の電力クラスタイプの第１のセルの基地局から、物理ダウンリンク共有チャネルとして使用するための第１のコンポーネントキャリア（ＣＣ）のリソースの割振りを受信する。４５４において、上記ＵＥまたは異なるＵＥは、基地局から、物理ダウンリンク共有チャネルの拡張として使用するための第２のＣＣの第１の部分の割振りを受信する、ここで第２のＣＣの第１の部分は第２の電力クラスタイプの第２のセルの１つまたは複数のＵＥのための制御領域として割り振られた第２のＣＣの第２の部分と重複しないものである。
【００６３】
上記のように、（拡張部分を含む）ＰＤＳＣＨのリソースの割振りは第１のＣＣ中で送られるＰＤＣＣＨにおいてシグナリングされ得る。ＰＤＳＣＨは第１のＣＣ外のリソースで拡張され得る。
【００６４】
例えば、ＬＴＥ  「Ａｄｖａｎｃｅｄ」（ＬＴＥ−Ａ）などの様々なシステムにおいて、キャリアアグリゲーションは、複数のＵＥが対応するＰＨＹリソースにアクセスするための連続または不連続スペクトルのアグリゲーションを可能にする。１つのキャリアから別のキャリアへのリソース割振りが可能にされ得る。一例として、これは、ＰＤＣＣＨ中に埋め込まれた合意済キャリアインジケータフィールド（ＣＩＦ：carrier indicator field）の使用によって可能にされ得る。別の例として、特に以下で詳述するキャリア拡張の場合、これは、リソース割当てに関してアグリゲーション中のキャリアを１つのキャリアとして扱うことによって可能にされ得る。
【００６５】
ＰＤＳＣＨを拡張するために、キャリア拡張（セグメント）および拡張キャリアのような、プライマリ(primary)ＣＣ外の異なる機構が使用され得る。本明細書で使用するキャリアセグメントという用語は、概ね、（一般に合計１１０個のＲＢ以下の）既存の（例えば、ＬＴＥ  Ｒｅｌ−８互換）コンポーネントキャリアの帯域幅拡張として定義されるセグメントを指す。新しい送信帯域幅がキャリアアグリゲーション手段を補完する後方互換的やり方において必要とされる場合に、キャリアセグメントが周波数リソースの利用を可能にできる。この機構は、キャリアアグリゲーション設定において必要とされるであろう追加のＰＤＣＣＨ送信を低減し、また、セグメントに対応する部分のための小さいＴＢサイズの使用を低減できる。従って、キャリアセグメントが、元のキャリア帯域幅の後方互換性を依然として保持しながら、コンポーネントキャリアへの追加のリソースブロックをアグリゲートすることを可能にできる。複数のキャリアセグメントは常に隣接して１つのコンポーネントキャリアにリンクされる（「スタンドアロン」では使用されない）ものとして定義され得る。これらキャリアセグメントはまた、例えば、同期信号、システム情報、またはページングを与えないというように、これらの使用において制限される。
【００６６】
図５中の線図５１０は、例示的にＬＴＥ  Ｒｅｌ．８との後方互換性がある、コンポーネントキャリア（キャリア０）に隣接する例示的なキャリアセグメント（セグメント１およびセグメント２）を示す。上記のように、これらセグメントはＣＣの拡張であって、このため（１つまたは複数の）拡張をもつＣＣは単一のＨＡＲＱエンティティと見なされ得る。ＰＤＳＣＨを拡張することに使用するための１つまたは複数の拡張の割振りはキャリア０中のＰＤＣＣＨにおいて行われ得る。
【００６７】
複数の拡張キャリアはキャリアセグメントと同様の基本的考え方で設計され得る。しかしながら、拡張キャリアは、（Ｒｅｌ−８  ＵＥと）後方互換性があったり、なかったりできる実際のコンポーネントキャリア自体でよい。後方互換キャリアおよび拡張キャリアは、２つの異なるコンポーネントキャリアであって、独立したＨ−ＡＲＱプロセスおよびトランスポートブロックを仮定できる。
【００６８】
図５中の線図５２０は、後方互換コンポーネントキャリア（キャリア０）にリンクされた例示的な拡張キャリア（キャリア１）を示す。上記のように、拡張キャリアは実際のコンポーネントキャリアでよく、このため独立したＨＡＲＱエンティティとして扱われ得る。この場合も、ＰＤＳＣＨを拡張する際に使用するための拡張キャリアの割振りは、キャリア０中のＰＤＣＣＨにおいて行われ得る。
【００６９】
図５に示すように、拡張キャリアおよびキャリアセグメントは後方互換コンポーネントキャリアにリンクされることができ、場合によっては、スタンドアロン形式でで使用されることができない。拡張キャリアおよび／またはセグメントの使用は、同期信号、システム情報、ＵＥのためのページング、Ｒｅｌ−８  ＰＤＣＣＨ、Ｒｅｌ−８  ＰＨＩＣＨ、およびＲｅｌ−８  ＰＣＦＩＣＨなどの様々な制御チャネルを搬送するための使用を禁止するように制限され得る。さらに、これら拡張機構は、ランダムアクセスまたはＵＥキャンピングにおける使用について禁止され得る。拡張キャリアおよびセグメントは、複数のＬＴＥ  Ｒｅｌ  ８（「レガシー」）ＵＥによってアクセス可能でおよび／または認識されないことがある。
【００７０】
本明細書で提案する異種ネットワーク（heterogeneous network）（ＨｅｔＮｅｔ）におけるこれらキャリアアグリゲーション機構の使用は、高電力ノード（例えば、マクロＵＥ）および低電力ノード（例えば、フェムト／ピコノードＵＥ）のためのスペクトルの半静的区分を可能にさせる。いくつかの態様によれば、拡張キャリアおよびキャリアセグメントはＨｅｔＮｅｔのための干渉管理に好適であり得る。この場合、スペクトルの複数の異なる部分は、異なるタイプの複数のノードによって異なって解釈され得る。
【００７１】
例えば、図６のリソース図６１０に示すように、高電力ノード用の拡張ＰＤＳＣＨは、１つの後方互換キャリア（ＣＣ１）と、第２のコンポーネントキャリア（ＣＣ２）のものであり得る少なくとも１つのキャリアセグメント（ＣＳ１）または拡張キャリア（ＥＣ２）を備える拡張ＰＤＳＣＨ領域とを備え得る。いくつかの態様によれば、レガシーＵＥ（例えば、Ｒｅｌ−８またはそれ以前のもの）はＣＣ１内のみでサービスされ得るが、非レガシーＵＥ（Ｒｅｌ−９またはそれ以上）はＣＣ１とＣＳ１／ＥＣ２との両方によってサービスされ得る。ただし、図示のように、ＣＳ１／ＥＣ２におけるリソースの割振りはＣＣ１中の制御領域６１２を介し得る。
【００７２】
いくつかの態様によれば、「拡張ＰＤＳＣＨ」は、（レガシー制御は低電力ノードによってＣＣ２中で使用されるので）低電力ノード制御干渉と干渉する高電力ノードデータを回避するための取り組みにおいて、最初のＯＦＤＭシンボルからまたはより後のＯＦＤＭシンボルから開始することのような様々な形式でＣＳ１中のリソースにマッピングされ得る。いくつかの態様によれば、開始ＯＦＤＭシンボルはＣＣ１によってＵＥに（動的または半静的に）搬送され得る。
【００７３】
図６中の線図６１０は高電力ノードから観た利用可能なスペクトルの例示的な解釈を表すことに留意されたい。一方、線図６５０は、低電力ノードから観た同じスペクトルの例示的な解釈を表す。図示のように、低電力ノードから観て、拡張ＰＤＳＣＨは１つの後方互換キャリア（ＣＣ２）と、（１つまたは複数の）拡張キャリアＥＣ１あるいは（１つまたは複数の）キャリアセグメントＣＳ２あるいはコンポーネントキャリア（ＣＣ１）とを含み得る。この例において、後方互換性であるＣＣ２は制御領域を搬送し、ＥＣ１／ＣＳ２／ＣＣ１のためのリソースをシグナリングできる。ＣＣ２から割り当てられたこの場合におけるＥＣ１／ＣＳ２／ＣＣ１中のＰＤＳＣＨのマッピングは、ＣＣ２によってＵＥに搬送されたＯＦＤＭシンボルから（または固定ＯＦＤＭシンボルにおいて）開始する。この例では、ＥＣ１／ＣＳ２は制御領域を搬送せず、そうではなく、ＣＣ１が標準(regular)制御チャネルを搬送する。
【００７４】
上記のように、この構成では、スペクトルの複数の異なる部分が異なるタイプの複数のノードによって異なって解釈され得る。概ね、複数の高電力ノードがＣＣ２を使用るす複数のより低い電力ノードの制御領域と衝突するＣＳ１またはＥＣ２を使用して複数のシンボル中で送信しない場合、複数の高電力ノードおよび複数の低電力ノードはＣＣ２を使用した複数の低電力ノードが制御領域で干渉しないように構成され得る。
【００７５】
（例えば、複数のバックホール接続を介して）リソース区分情報を共有することによって、ノードＢが（例えば、高電力ノードの制御領域に対応する）制御領域６２４と高電力ノードの拡張ＰＤＳＣＨとの間の干渉を回避するためにこのようにリソースをスケジュールすることが可能であり得る。干渉回避は、例えば、第４のシンボル（大きいシステム帯域幅）または第５のシンボル（小さいシステム帯域幅）から開始してＰＤＳＣＨをマッピングすることによって、あるいは（バックホール情報交換を介して）ＣＣ２の実際の制御領域サイズを利用し、このサイズをＵＥに搬送することによって行われ得る。より低い電力ノードの下で範囲拡大を受ける複数のＵＥは、ＣＣ２を使用してサービスされ得る。一方、より低い電力ノードの下でのカバレージ内の複数のＵＥ（すなわち、ＵＥは、最良のＤＬ信号をもつより低い電力ノードを見つける）は、ＣＣ２とＥＣ１／ＣＳ２／ＣＣ１の両方によってサービスされ得る。
【００７６】
本開示は、異種ネットワークのコンテキストにおける拡張キャリアおよびキャリアセグメントの適用を可能にする。本明細書で説明するように、スペクトルの異なる複数の部分は、異なるタイプの複数のノードによって異なって解釈され得る。
【００７７】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代わりに、プロセッサは、任意の市販のプロセッサ、コントローラ、マイクロコントローラまたは状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７８】
本開示に関連して説明した方法またはアルゴリズムのステップは、直接ハードウェアで実施されるか、プロセッサによって実行されるソフトウェアモジュールで実施されるか、またはこれら２つの組合せで実施され得る。ソフトウェアモジュールは、当技術分野で知られる任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがこの記憶媒体から情報を読み取ることができ、この記憶媒体に情報を書き込むことができるように、プロセッサに結合され得る。代替として、記憶媒体はプロセッサに一体化され得る。
【００７９】
本明細書で開示する方法は、説明した方法を達成するための１つまたは複数のステップまたはアクションを備える。本方法のステップおよび／またはアクションは、特許請求の範囲の範囲から逸脱することなく互いに交換され得る。言い換えれば、ステップまたはアクションの特定の順序が指定されない限り、特定のステップおよび／またはアクションの順序および／または使用は特許請求の範囲の範囲から逸脱することなく変更され得る。
【００８０】
説明した機能は、ハードウェア、ソフトウェア、ファームウェア、またはそれらの組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用されることができ、コンピュータによってアクセスされることができ、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。
【００８１】
例えば、本明細書で説明した方法を実行するための手段の転送を可能にするために、このようなデバイスをサーバに結合することができる。代わりに、本明細書で説明した様々な方法を記憶手段（例えば、ＲＡＭ、ＲＯＭ、コンパクトディスク（ＣＤ）またはフロッピーディスクなどの物理的記憶媒体など）によって提供でき、これにより、ユーザ端末および／または基地局は、この記憶手段をデバイスに結合または供給すると、それらの様々な方法を取得することができるようになる。さらに、本明細書で説明した方法および技法をデバイスに与えるための任意の他の好適な技法を利用できる。
【００８２】
特許請求の範囲は、上記に示した正確な構成および構成要素に限定されないことを理解されたい。上記で説明した方法および装置の構成、動作および詳細において、特許請求の範囲の範囲から逸脱することなく、様々な改変、変更および変形を行い得る。
【００８３】
上記は本開示の態様を対象とするが、本開示の他の態様およびさらなる態様は、その基本的範囲から逸脱することなく考案され得、その範囲は以下の特許請求の範囲によって判定される。
以下に本願発明の当初の特許請求の範囲に記載された発明を付記する。
［Ｃ１］
ワイヤレス通信ネットワークにおけるワイヤレス通信のための方法であって、
第１の電力クラスの第１のセル中の第１のユーザ機器（ＵＥ）に、物理ダウンリンク共有チャネルとして使用するための第１のコンポーネントキャリア（ＣＣ）のリソースを割り振ることと、
前記物理ダウンリンク共有チャネルの拡張として使用するための第２のＣＣの第１の部分のリソースを割り振ることを備え、前記第２のＣＣの前記第１の部分の前記リソースは第２のセル中の１つまたは複数の第２のＵＥのための制御領域として割り振られた前記第２のＣＣの第２の部分のリソースと重複しないものである、方法。
［Ｃ２］
前記第１のＣＣの前記リソースと前記第２のＣＣの前記第１の部分の前記リソースとは複数の異なるＵＥによる使用のために割り振られる、Ｃ１に記載の方法。
［Ｃ３］
前記ワイヤレス通信ネットワークは異種ネットワークを備え、前記第１および第２のセルは異なる電力クラスタイプの複数のセルを備える、Ｃ１に記載の方法。
［Ｃ４］
第２のＣＣの前記第１の部分は前記第１のＣＣに隣接するキャリアセグメントを備える、Ｃ１に記載の方法。
［Ｃ５］
前記第２のＣＣは拡張キャリアを備える、Ｃ１に記載の方法。
［Ｃ６］
前記第１のＵＥに、前記第２のＣＣの前記第１の部分のロケーションの指示を搬送することをさらに備える、Ｃ１に記載の方法。
［Ｃ７］
前記指示を搬送することは、
前記第１のＣＣを使用して、前記第１のＵＥに、前記第２のＣＣの前記第１の部分の開始シンボルの指示を送ることを備える、Ｃ６に記載の方法。
［Ｃ８］
前記開始シンボルの前記指示は１つまたは複数の第２のＵＥのための制御領域として使用される前記第２のＣＣの前記第２の部分のサイズに基づいて判定される、Ｃ７に記載の方法。
［Ｃ９］
前記第２のＣＣの前記第１の部分は前記第１のＵＥに知られる固定ロケーションで開始する、Ｃ１に記載の方法。
［Ｃ１０］
前記第１のＵＥはワイヤレス通信規格の第１のまたはより後のバージョンを用いて通信することが可能なＵＥを備え、
前記第２のＵＥは前記第１のバージョンよりも前の前記規格の第２のバージョンを用いて通信することが可能なＵＥを備える、Ｃ１に記載の方法。
［Ｃ１１］
前記第２のセルは前記第１のセルよりも低い電力クラスタイプを備える、Ｃ１に記載の方法。
［Ｃ１２］
前記第２のＣＣは拡張キャリアまたはキャリアセグメントのうちの少なくとも１つを備える、Ｃ１１に記載の方法。
［Ｃ１３］
ワイヤレス通信ネットワークにおけるワイヤレス通信のための方法であって、
第１のセルの基地局から、物理ダウンリンク共有チャネルとして使用するための第１のコンポーネントキャリア（ＣＣ）のリソースの割振りを受信することと、
前記基地局から、前記物理ダウンリンク共有チャネルの拡張として使用するための第２のＣＣの第１の部分の割振りを受信することとを備え、前記第２のＣＣの前記第１の部分は第２のセルの１つまたは複数のＵＥのための制御領域として割り振られた前記第２のＣＣの第２の部分と重複しないものである、方法。
［Ｃ１４］
前記第１のＣＣの前記リソースと前記第２のＣＣの前記第１の部分の前記リソースとは複数の異なるＵＥによる使用のために割り振られる、Ｃ１３に記載の方法。
［Ｃ１５］
前記ワイヤレス通信ネットワークは異種ネットワークを備え、前記第１および第２のセルは異なる電力クラスタイプの複数のセルを備える、Ｃ１３に記載の方法。
［Ｃ１６］
第２のＣＣの前記第１の部分は前記第１のＣＣに隣接するキャリアセグメントを備える、Ｃ１３に記載の方法。
［Ｃ１７］
前記第２のＣＣは拡張キャリアを備える、Ｃ１３に記載の方法。
［Ｃ１８］
前記基地局から、前記第２のＣＣの前記第１の部分のロケーションの指示を受信することをさらに備える、Ｃ１３に記載の方法。
［Ｃ１９］
前記指示を受信することは、
前記第１のＣＣを使用して、前記第２のＣＣの前記第１の部分の開始シンボルの指示を受信すること
を備える、Ｃ１８に記載の方法。
［Ｃ２０］
前記開始シンボルの前記指示は１つまたは複数のＵＥのための制御領域として使用される前記第２のＣＣの前記第２の部分のサイズに基づいて判定される、Ｃ１９に記載の方法。
［Ｃ２１］
前記第２のＣＣの前記第１の部分は固定ロケーションで開始する、Ｃ１３に記載の方法。
［Ｃ２２］
前記第１のＣＣはワイヤレス通信規格の第１のまたはより後のバージョンを用いて通信できる複数のＵＥと通信するために使用され、
前記第２のＣＣは前記第１のバージョンよりも前の前記規格の第２のバージョンを用いて通信することが可能な複数のＵＥと通信するために使用される、Ｃ１３に記載の方法。
［Ｃ２３］
前記第２のセルは前記第１のセルよりも低い電力クラスタイプを備える、Ｃ１３に記載の方法。
［Ｃ２４］
前記第２のＣＣは拡張キャリアまたはキャリアセグメントのうちの少なくとも１つを備える、Ｃ２３に記載の方法。
［Ｃ２５］
ワイヤレス通信ネットワークにおけるワイヤレス通信のための装置であって、
第１の電力クラスの第１のセル中の第１のユーザ機器（ＵＥ）に、物理ダウンリンク共有チャネルとして使用するための第１のコンポーネントキャリア（ＣＣ）のリソースを割り振るための手段と、
前記物理ダウンリンク共有チャネルの拡張として使用するための第２のＣＣの第１の部分のリソースを割り振るための手段とを備え、前記第２のＣＣの前記第１の部分の前記リソースは第２のセル中の１つまたは複数の第２のＵＥのための制御領域として割り振られた前記第２のＣＣの第２の部分のリソースと重複しないものである、装置。
［Ｃ２６］
前記第１のＣＣの前記リソースと前記第２のＣＣの前記第１の部分の前記リソースとは複数の異なるＵＥによる使用のために割り振られる、Ｃ２５に記載の装置。
［Ｃ２７］
前記ワイヤレス通信ネットワークは異種ネットワークを備え、前記第１および第２のセルは異なる電力クラスタイプの複数のセルを備える、Ｃ２５に記載の装置。
［Ｃ２８］
第２のＣＣの前記第１の部分は前記第１のＣＣに隣接するキャリアセグメントを備える、Ｃ２５に記載の装置。
［Ｃ２９］
前記第２のＣＣは拡張キャリアを備える、Ｃ２５に記載の装置。
［Ｃ３０］
前記第１のＵＥに、前記第２のＣＣの前記第１の部分のロケーションの指示を搬送するための手段をさらに備える、Ｃ２５に記載の装置。
［Ｃ３１］
前記指示を搬送するための前記手段は、前記第１のＣＣを使用して、前記第１のＵＥに、前記第２のＣＣの前記第１の部分の開始シンボルの指示を送るための手段を備える、Ｃ３０に記載の装置。
［Ｃ３２］
前記開始シンボルの前記指示は、１つまたは複数の第２のＵＥのための制御領域として使用される前記第２のＣＣの前記第２の部分のサイズに基づいて判定される、Ｃ３１に記載の装置。
［Ｃ３３］
前記第２のＣＣの前記第１の部分は、前記第１のＵＥに知られる固定ロケーションで開始する、Ｃ２５に記載の装置。
［Ｃ３４］
前記第１のＵＥはワイヤレス通信規格の第１のまたはより後のバージョンを用いて通信することが可能なＵＥを備え、
前記第２のＵＥは前記第１のバージョンよりも前の前記規格の第２のバージョンを用いて通信することが可能なＵＥを備える、Ｃ２５に記載の装置。
［Ｃ３５］
前記第２のセルは前記第１のセルよりも低い電力クラスタイプを備える、Ｃ２５に記載の装置。
［Ｃ３６］
前記第２のＣＣは拡張キャリアまたはキャリアセグメントのうちの少なくとも１つを備える、Ｃ３５に記載の装置。
［Ｃ３７］
ワイヤレス通信ネットワークにおけるワイヤレス通信のための装置であって、
第１のセルの基地局から、物理ダウンリンク共有チャネルとして使用するための第１のコンポーネントキャリア（ＣＣ）のリソースの割振りを受信するための手段と、
前記基地局から、前記物理ダウンリンク共有チャネルの拡張として使用するための第２のＣＣの第１の部分の割振りを受信するための手段とを備え、前記第２のＣＣの前記第１の部分は第２のセルの１つまたは複数のＵＥのための制御領域として割り振られた前記第２のＣＣの第２の部分と重複しないものである、装置。
［Ｃ３８］
前記第１のＣＣの前記リソースと前記第２のＣＣの前記第１の部分の前記リソースとは複数の異なるＵＥによる使用のために割り振られる、Ｃ３７に記載の装置。
［Ｃ３９］
前記ワイヤレス通信ネットワークが異種ネットワークを備え、前記第１および第２のセルが異なる電力クラスタイプの複数のセルを備える、Ｃ３７に記載の装置。
［Ｃ４０］
第２のＣＣの前記第１の部分は前記第１のＣＣに隣接するキャリアセグメントを備える、Ｃ３７に記載の装置。
［Ｃ４１］
前記第２のＣＣは拡張キャリアを備える、Ｃ３７に記載の装置。
［Ｃ４２］
前記基地局から、前記第２のＣＣの前記第１の部分のロケーションの指示を受信するための手段をさらに備える、Ｃ３７に記載の装置。
［Ｃ４３］
前記指示を受信するための前記手段は、
前記第１のＣＣを使用して、前記第２のＣＣの前記第１の部分の開始シンボルの指示を受信するための手段を備える、Ｃ４２に記載の装置。
［Ｃ４４］
前記開始シンボルの前記指示は１つまたは複数のＵＥのための制御領域として使用される前記第２のＣＣの前記第２の部分のサイズに基づいて判定される、Ｃ４３に記載の装置。
［Ｃ４５］
前記第２のＣＣの前記第１の部分は固定ロケーションで開始する、Ｃ３７に記載の装置。
［Ｃ４６］
前記第１のＣＣはワイヤレス通信規格の第１のまたはより後のバージョンを用いて通信することが可能な複数のＵＥと通信するために使用され、
前記第２のＣＣは前記第１のバージョンよりも前の前記規格の第２のバージョンを用いて通信することが可能な複数のＵＥと通信するために使用される、Ｃ３７に記載の装置。
［Ｃ４７］
前記第２のセルは前記第１のセルよりも低い電力クラスタイプを備える、Ｃ３７に記載の装置。
［Ｃ４８］
前記第２のＣＣは拡張キャリアまたはキャリアセグメントのうちの少なくとも１つを備える、Ｃ４７に記載の装置。
［Ｃ４９］
ワイヤレス通信ネットワークにおけるワイヤレス通信のための装置であって、
第１の電力クラスの第１のセル中の第１のユーザ機器（ＵＥ）に、物理ダウンリンク共有チャネルとして使用するための第１のコンポーネントキャリア（ＣＣ）のリソースを割り振ることと、前記物理ダウンリンク共有チャネルの拡張として使用するための第２のＣＣの第１の部分のリソースを割り振ることと、ここで前記第２のＣＣの前記第１の部分の前記リソースは第２のセル中の１つまたは複数の第２のＵＥのための制御領域として割り振られた前記第２のＣＣの第２の部分のリソースと重複しないものである、を行うように構成されるスケジューリング構成要素と、
前記物理ダウンリンク共有チャネル上で前記第１のＵＥにデータを送信するように構成される送信構成要素とを備える装置。
［Ｃ５０］
ワイヤレス通信ネットワークにおけるワイヤレス通信のための装置であって、
第１のセルの基地局から、物理ダウンリンク共有チャネルとして使用するための第１のコンポーネントキャリア（ＣＣ）のリソースの割振りと、前記物理ダウンリンク共有チャネルの拡張として使用するための第２のＣＣの第１の部分の割振りとを受信するように構成され、前記第２のＣＣの前記第１の部分は第２のセルの１つまたは複数のＵＥのための制御領域として割り振られた前記第２のＣＣの第２の部分と重複しないものである、スケジューリング構成要素と、
前記物理ダウンリンク共有チャネル上で前記基地局からダウンリンク送信を受信するように構成される受信構成要素とを備える装置。
［Ｃ５１］
１つまたは複数のプロセッサによって実行可能である複数の命令を記憶したコンピュータ可読媒体を備えるワイヤレス通信のためのコンピュータプログラム製品であって、
前記複数の命令は、
第１の電力クラスの第１のセル中の第１のユーザ機器（ＵＥ）に、物理ダウンリンク共有チャネルとして使用するための第１のコンポーネントキャリア（ＣＣ）のリソースを割り振るための複数の命令と、
前記物理ダウンリンク共有チャネルの拡張として使用するための第２のＣＣの第１の部分のリソースを割り振るための複数の命令とを備え、前記第２のＣＣの前記第１の部分の前記リソースは第２のセル中の１つまたは複数の第２のＵＥのための制御領域として割り振られた前記第２のＣＣの第２の部分のリソースと重複しないものである、コンピュータプログラム製品。
［Ｃ５２］
１つまたは複数のプロセッサによって実行可能な複数の命令を記憶したコンピュータ可読媒体を備えるワイヤレス通信のためのコンピュータプログラム製品であって、
前記複数の命令は、
第１のセルの基地局から、物理ダウンリンク共有チャネルとして使用するための第１のコンポーネントキャリア（ＣＣ）のリソースの割振りを受信するための複数の命令と、
前記基地局から、前記物理ダウンリンク共有チャネルの拡張として使用するための第２のＣＣの第１の部分の割振りを受信するための複数の命令とを備え、前記第２のＣＣの前記第１の部分は第２のセルの１つまたは複数のＵＥのための制御領域として割り振られた前記第２のＣＣの第２の部分と重複しないものである、コンピュータプログラム製品。
【図１】
0005607171.tif 000002
【図２】
0005607171.tif 000003
【図３】
0005607171.tif 000004
【図４】
0005607171.tif 000005
【図５】
0005607171.tif 000006
【図６】
0005607171.tif 000007